(57)【要約】【課題】上中下の各階板毎に高低変形し得る。布団收納後、階板を上昇、部屋を広く変形。【解決手段】４隅のコ状覆体上端を天板隅に固着、覆体内側に歯車群形成、歯車先端を凸部形成、覆体開口部内側の凸球と階板の中央方隅を鉤挿着連結。開口部内際に着合部外際にかぎあな形成。リモートコントロールで電動する。各階板毎に４歯車群を電気駆動回転（又は逆回転）、凸球に電流接続下着合部から離脱、回転凸部群に移動上昇指定着合部で停止。凸球が着合部に嵌合する毎に、階板裏面中央導線に電流接続、連結波状かぎ先端が突出、開口外際のかぎあなに挿入引掛け階板は定着する。階板が移動する毎に階板裏面導線に電流接続、連結波状かぎ先端が、かぎあなから離脱、階板裏面導線中間にかぎ１端を戻移動すると凸球が上着合部離脱逆回転凸部群に戻移動戻下降、指定着合部で停止、元の下着合部に戻嵌合する。被覆扇付き布団入れ。【選択図】  図３
2007075577.tif 000002
【特許請求の範囲】
【請求項１】
天板および階板の角隅に形成するコ状覆体の、開口部を中央に向け、上端を天板隅に固着、覆体内側に歯車群形成、歯車先端を凸部形成、開口部内側に、昇降可能に凸球形成、開口部内際に着合部、外際にかぎあな形成、間隔毎に下方、合、中、上方着合部で仕切る、凸球に取付ける鉤他端を、階板の中央方隅に挿着連結する、覆面内側の階板裏面中央に導線１端連結、他端を覆面角隅内線部に連結、４方の各導線中間に波状かぎ１端連結、半ばを覆面４方隅から突出する。天板上に電流を集めリモートコントロール器形成、階板毎に電源接続釦を押圧電動する。上（又は中或は下）、（或は下（又は中又は上））階板毎に縦左列（又は縦右列）釦を押圧、４歯車群を電気駆動、同時に回転上昇（又は逆回転下降）すると、凸球に電流接続、間隔下の縦列釦複数の１釦押圧凸部群を回転上昇（再押圧逆回転下降）、停止着合部を指定。凸球が下方着合部を離脱、回転凸部群に移動上昇し指定着合部で停止、凸球を上方（又は中又は合）着合部に押圧嵌合する。凸球が着合部に嵌合する毎に、下列平釦を押圧、階板裏面中央の導線に電流接続、４方の各導線中間連結の波状かぎ半ばが導線沿い移動、覆面の４方各隅から突出し、かぎ先端が、開口外際のかぎあなに挿入、引掛け、階板は定着する。
階板を移動する毎に、下列平釦を押圧複数回、階板裏面中央の導線に電流接続、連結波状かぎ先端が、かぎあなを離脱、かぎ半ばを元の覆面の４方各隅に戻突入導線沿い戻移動、４方の各導線中間に戻移動する。と、間隔下の縦列釦複数の１釦再押圧、凸部群を逆回転下降、停止着合部を指定。凸球が合（又は中或は上方）着合部を離脱し逆回転凸部群を戻移動戻下降、指定着合部で停止、凸球を元の下方（又は下間隔中間）着合部に押圧嵌合すると、階板裏面中央の導線に電流接続、４方の各導線中間連結の波状かぎ半ばが導線沿い移動、覆面の４方各隅から突出するかぎ先端が、開口外際のかぎあなに挿入、引掛け、階板は戻定着する。扇の要を覆体外側面上部に着脱可能に取付け、薄織物を要から骨へ放射状に貫通接着し、連山状要線をチャック状に天板周囲に取付ける、被覆扇を正面１方の縁部から開閉可能形成する、被覆扇付き布団入れ。
【発明の詳細な説明】
【発明の詳細な説明】
【技術分野】
【０００１】  天板および階板の４角隅に形成するコ状覆体の開口部を中央に向け、覆体内側に歯車群形成、歯車先端を凸部形成、開口部内側に昇降可能に凸球形成、開口部内際に着合部、外際にかぎあな形成、凸球と階板の中央方隅を挿着鉤で連結する・覆面内側の階板裏面中央に、導線１端連結、他端を覆面角隅内縁部に連結、４方の各導線中間に波状かぎ１端連結、半ばを覆面の４方隅から突出する。
リモートコントロール器形成、階板毎に電源接続釦を押圧電動する。
上（又は中或は下）（或は下（又は中又は上））階板毎に縦左列（又は縦右列）釦を押圧、４歯車群を電気駆動、同時に回転上昇（又は逆回転下降）すると、凸球に電流接続、間隔下の縦列釦複数の１釦押圧、凸部群を回転上昇（再押圧逆回転下降）停止着合部を指定する。凸球が下方着合部を離脱、回転凸部群に移動上昇、指定着合部で停止、凸球を上方（又は中或は合）着合部に押圧嵌合する。凸球が着合部に嵌合する毎に、下列平釦を押圧、階板裏面中央の導線に電流接続、４方の各導線中間連結の波状かぎ半ばが導線沿い移動、覆面の４方各隅から突出、かぎ先端を開口外際のかぎあなに挿入、引掛け、階板は定着する。又は階板を移動する毎に下列平釦を押圧複数回、階板裏面中央の導線に電流接続、連結かぎ先端が、かぎあなを離脱、かぎ半ばを元の覆面の４方各隅に戻突入、導線沿い戻移動、４方の各導線中間に戻移動する為、間隔下の縦列釦複数の１釦再押圧・逆回転下降凸部群が指定着合部で停止する。凸球が合（又は中或は上方）着合部を離脱、逆回転凸部群に戻移動戻下降、指定着合部で停止すると、凸球を元の下方（又は下間隔中間）着合部に押圧戻嵌合する。扇の要を覆体外側面上部に着脱可能に取付け、薄織物を要から骨へ放射状に貫通接着し、連山状要線をチャック状に天板周囲に取付ける、被覆扇を正面１方の縁部から開閉可能形成する、被覆扇付き布団入れ。
【背景技術】
【０００２】  従来、布団は建具の押入れに收納し、押入れは昇降しない。
【発明が解決しようとする課題】
【０００３】  布団を收納する階板を、上下各階板毎に高低変形可能に形成する。
【発明の目的】
【０００４】  布団を收納し、又は引出す階板を下降し楽に收納後、階板を上昇、部屋を広くし、開閉可能に取付ける被覆扇で装飾することを目的とする。
【課題を解決するための手段】
【０００５】  上記目的達成の為、天板および階板の４隅に形成するコ状覆体の上端を天板隅に固着、開口部を中央に向け合い、覆体内側に歯車群形成、歯車先端を凸部形成開口部内側に昇降可能に凸球形成、開口部内際に着合部、外際にかぎあな形成。
【０００６】  凸球と階板の中央方隅を挿着鉤で連結する。覆面内側の階板裏面中央に導線１端連結、他端を覆面角隅内縁部に連結、４方の各導線中間に、波状かぎ１端連結、半ばを覆面４方隅から突出、先端をかぎあなに向ける。
【０００７】  天板上に電流を集め、リモートコントロール器形成、階板毎に電源接続釦を押圧、電導する。階板別釦を押圧、階板指定毎に縦左列（又は縦右列）釦を押圧、４歯車群を同時に回転上昇（又は逆回転下降）。間隔別釦を押圧、指定押圧間隔下の縦列釦複数の１釦押圧、回転上昇、又は再押圧逆回転下降、停止着合部を指定。下列平釦を押圧（又は押圧複数回）、階板裏面中央の導線に電流接続する。
【０００８】  上（又は中或は下）、（或は下（又は中又は上））階板指定毎に、各覆体内側の４歯車群を同時に電気駆動回転、（或は逆回転）凸球に電流接続、下方着合部を離脱、回転凸部群に移動上昇、指定着合部で停止する凸球を上方（又は中或は合）着合部に押圧嵌合する、と階板裏面中央の導線に電流接続、導線中間連結の波状かぎの半ばが導線沿い移動、覆面の４方隅から突出、先端を開口外際のかぎあなに挿入、引掛け、階板は定着する。
【０００９】  階板を移動する毎に、階板裏面中央の導線に電流接続、連結波状かぎ先端が、かぎあなを離脱、かぎ半ばを元の覆面の４方各隅に戻突入、導線沿い戻移動、４方の各導線中間に１端を戻移動する、凸球が合（又は中或は上方）着合部を離脱、逆回転凸部群に戻移動戻下降し、指定着合部で停止、凸球を元の下方（又は下間隔中間）着合部に押圧戻嵌合すると、階板裏面中央の導線に電流接続、連結かぎ半ばが覆面の４方各隅から突出、先端を開口外際のかぎあなに挿入、引掛け、階板は戻定着する。
【００１０】  扇の要を覆体外側面上部に着脱可能に取付け、薄織物を要、骨へ放射状に貫通接着し、連山状要線をチャック状に天板周囲に取付ける、扇を正面１方の縁部から開閉可能形成する。被覆扇付き布団入れを構成。
【発明を実施するための最良の形態】
【００１１】  発明の実施の形態を、図面を参照し説明する。
（図１）天板Ａおよび階板（上階板、中階板、下階板）Ｃの４角隅（切除あき）にコ状覆体Ｂ形成、開口部を中央に向け合い、上端を天板隅に固着（図２参照）下端周囲を底部に固着（図４）上下両端迄の各覆体Ｂ内側に、下端を底部に、上端を天板上に接着する歯車群形成、歯車先端を凸部形成、４隅覆体内側の歯車群は同時に同高低で回転上昇、逆回転下降する、（図２）各覆体の開口部内側に昇降可能に凸球Ｄ形成、開口部内際に着合部Ｅ形成、間隔毎に、下方、合、中、上方着合部で仕切る。開口部内側の凸球に取付ける鉤Ｆ他端を、階板の中央方４隅の各隅に挿着連結する。（図２）覆体側面間の階板外縁辺は、Ｌ状に上突出。【００１２】  （図３）開口外際に、かぎあなＪ形成、覆面Ｈ内側の階板裏面中央に導線１端連結、他端を覆面角隅内縁部に連結、４方の各導線中間に波状かぎＧ１端連結、半ばを覆面４方各隅から突出する。階板に接着する覆面の中央４方の各中間部から方形縁辺の角隅方へ凸状線形成。凸状線と導線との間隙に、波状かぎの半ばが挿通する。覆体側面沿い、階板縁辺に相互に＋、−磁石接着形成、覆体間中央に各階板が平行形成する。【００１３】  天板上に電流を集めリモートコントロール器形成、階板毎に電源接続釦を押圧電動する。中央釦を押圧（点灯）再押圧（消灯）。階板別釦を押圧、各階板を指定する毎に、縦左列（又は縦右列）釦を押圧、４隅の覆体内側の４歯車群を同時に回転上昇（又は逆回転下降）する。間隔別釦を押圧、指定間隔下の縦列複数の１釦押圧、凸部群を回転上昇（又は再押圧、逆回転下降）停止着合部を指定。下列平釦を押圧（又は押圧複数回）階板裏面中央の導線に電流接続する。【００１４】  ３階板連結各凸球は、床から５０糎高の下間隔下方着合部迄、１０糎下間隔毎の下方着合部に各嵌合定着。上（又は中或は下）、（或は下（又は中又は上））階板毎に、４歯車群を同時に電気駆動回転（又は逆回転）する。階板連結凸球に電流接続、間隔下の縦列釦複数の１釦押圧し停止着合部指定、凸球を回転上昇（又は再押圧逆回転下降）する。と、下方着合部を離脱する凸球が回転凸部群に移動上昇、上方（又は中或は合）指定着合部で停止、凸球を各該着合部に押圧嵌合する。着合部に凸球を嵌合（又は階板を移動）する毎に、下列平釦を押圧（又は押圧複数回）、階板裏面中央の導線に電流接続する。４方の各導線中間に１端連結波状かぎの半が導線沿い移動、覆面４方各隅から突出、波状かぎ先端を、開口外際のかぎあなに挿入、引掛ける。階板は上昇指定着合部に凸球を嵌合、定着し得る。又は、階板を移動する毎に、下列平釦を押圧複数回、導線に電流接続、連結波状かぎ先端が、かぎあなを離脱、かぎの半ばを元の覆面４方各隅に戻突入導線沿い戻移動、中央４方の各導線中間に波状かぎ１端を戻移動する、と、凸球が合（又は中或は上方）着合部を離脱、逆回転凸部群に戻移動戻下降、指定着合部で停止、凸球を元の下方（又は下間隔中間）着合部に押圧戻嵌合する為、導線に電流接続、４方の各導線中間連結の波状かぎの半ばが導線沿い移動、覆面４方の各隅から突出、波状かぎ先端を、開口外際のかぎあなに挿入、引掛ける為、階板は下降指定着合部に凸球を嵌合戻定着し得る。覆体側面沿い階板縁辺に相互に＋、−磁石を接着形成する為、各階板は平行に上昇又は下降し得る。（図４参照）【００１５】  階板毎に、４歯車群を同時に電気駆動回転（又は逆回転）する為、他階板連結の他凸球は、他着合部に嵌合済みの為、２階板を同時に昇降し得ない。移動階板が他階板に１０糎以内に接近定着し得ない為、他階板の直上（又は直下）着合部に移動階板連結凸球を嵌合し得る。覆体開口部は、上、中、下間隔毎に異色形成、各間隔色と各階板色を同色形成すると、他間隔に移動する階板の長さを色判別し得る。床上５０糎高の下間隔の下方着合部に嵌合する凸球が、上階板連結、その下１０糎間隔毎の下方着合部に各嵌合する凸球が中階板、下階板を連結する。下方着合部から６０糎毎の下、中、上各間隔を下方、合、中、上方の各着合部が仕切る。天板迄の最上間隔、下、中、上各間隔に凸球が嵌合する開口内際の着合部、外際のかぎあなを各１０糎毎に形成。間隔下の縦列釦複数は異色６釦形成。左端釦が、各間隔の仕切り、下方（又は合、又は中、又は上方）着合部に連結、他の５釦が各間隔の中間５着合部に各連結する。左端釦から離れる中間釦連結着合部程、高位置形成、各間隔内の６着合部色を異色６釦と同色形成すると、停止着合部を同色釦押圧し、色判別指定し得る。
下間隔下方着合部下の２下方着合部（又は上方着合部から天板迄の最上間隔の中間着合部）は、下間隔（又は上間隔）の押圧および、、間隔下縦列釦複数の右端中間釦５と釦４（又は上間隔の左端釦を除く中間各釦）押圧、下方着合部（又は上方着合部上の、最上各中間着合部）から凸球離脱、再び間隔を押圧、縦列釦複数の１釦押圧、停止着合部を指定凸球を回転上昇（又は再押圧逆回転下降）する。６釦中の中間釦を指定押圧し、凸球を中間指定着合部に嵌合定着し得る。天板と天井の間は、天板周囲の隔壁で仕切る。【００１６】  動植物性資材又は、非鉄金属又は化学化合資材等で構成する。凸球を嵌合する着合部は強靱に形成、凸球両脇の覆体内側に小突部線形成、歯車群と凸球の隙を各該小突部線が隔てる。４隅の各凸球と階板の４方各隅に鉤が挿着連結する為、凸球と連結階板は同一高低で平行に昇降し得る。各階板毎、４隅の覆体内側の４歯車群が同時に回転上昇（又は逆回転下降）し各歯車先端凸部は同一高低で昇降する。方形覆面は電流を通さない。覆面内側の導線に電流接続する。【００１７】  ４隅のコ状覆体間中央に、３階板は、間隔毎に平行形成する為、各階板順序は不変の為、１階板が、他階板を飛び越え昇降し得ない。
上階板（又は中階板或は下階板）の連結各凸球を上下の各仕切り間中央位置の着合部から離脱、上（又は下）各間隔の縦列６釦中の中間左釦（又は中間右釦）を押圧、中間着合部指定、凸球を押圧嵌合し得る為、上階板は上間隔に移動し低く（又は中階板は下間隔に戻移動し高く、下階板は中階板の下方に戻移動し低く）変形し得る。【００１８】  ４隅の各覆体の開口部内側の凸球に取付ける鉤他端を階板４方の中央方隅に各挿着連結。階板は４隅の覆体の各開口部内際の着合部に凸球を嵌合し、階板裏面中央４方の各導線中間に波状かぎ１端を連結、先端を開口外際のかぎあなに挿入、引掛け、階板は指定着合部に嵌合定着する為、３各階板は、縦の覆体と横の階
2007075577.tif 000003
階板上に、嵩、枚数多く厚みある布団又は出入頻度の少ない容器を收納後、上昇し得る為、上階板の昇降を少なくし得る。導線は方形覆面が被覆し、物品をはさみ挿入し得ない為、階板上に安全に物品を收納し得る。【００１９】  下間隔中間（又は下方）着合部に定着する中階板（又は下階板）上に、毎日出入頻度の多い物品、掛け布団、敷き布団等を分け、負担なく楽に各收納し、上間隔の仕切り中着合部に中階板（又は中間隔の合着合部に下階板）連結凸球を上昇嵌合定着し得る。又、凸球を元の着合部に戻移動戻下降し得る為、下階板（又は中階板）を元の下方（又は下間隔中間）着合部に戻移動戻下降し、階板上の收納物品を手許に取出し得る等の為、居住部屋を広く変え、下階板下の空間には、ベットを移動し片付け得る。【００２０】  扇の要、骨、連山状要線を竹繊維で形成要に貫通形成する薄織物の最上部を屈折可能の連山状要線に接着。要を４隅の各覆体外側面上部に着脱可能に取付け、薄織物を要、骨へ放射状に貫通接着する。天板周囲に連山状要線をチャック状に取付ける。扇の正面１方の縁部から引張り、カーテンの様に開閉可能に形成する
2007075577.tif 000004
階板上に收納する布団、物品類を衛生的に保管し得る、又、被覆扇で部屋を装飾し得る。【００２１】  本発明は、季節に合わせ、加齢による体調に合わせ、簡単に各階板の高さを高低変形し得る為、上階板上には期末物品を收納、上間隔上へ上昇し得る。中、下階板上には常に使用頻度が多い布団等を收納し上昇保管し得る、上昇後下階板の下方は床から更に高く広く空け得る為、同空間にベットを移動片付け、居住部屋を広く変え得る。天板下周囲を被覆扇で囲み部屋を装飾し得る、被覆扇付き布団入れを構成し得る。
【実施例】
【００２２】  天板下に上中下各階板を複数毎形成。或は４隅のコ状覆体間中央に、各円形階板を上下に平行形成する布団入れ形成。或は各４隅覆体の上中下各間隔異色形成間隔色と上中下各階板色は同色形成する。又、覆体の各間隔毎に１から６迄の数字を連続調刻する、下列最小数字から最上列大数字迄調刻する。各間隔毎、大小異る６数字を連続調刻し、異色の間隔色に合わせ同色の階板形成。
【発明の効果】
【００２３】本発明は、以上説明の様に構成されているので、以下に説明する効果がある。
４隅の各コ状覆体の内側に歯車群形成、覆体の開口部内側の凸球と階板の中央方４隅は鉤挿着連結する。リモートコントロール器は階板毎に電源接続釦を押圧電動する為、各階板毎に縦左列（又は縦右列）釦を押圧し４歯車群を電気駆動、同時に回転上昇（又は逆回転下降）し得る為、凸球に電流接続する為、間隔別釦を押圧、間隔下の縦列釦複数の１釦押圧し凸球を回転凸部群に移動上昇（再押圧、凸球を逆回転凸部群に戻移動戻下降）指定着合部に停止する為、下方着合部を離脱する凸球が、回転凸部群に移動上昇、指定着合部に停止する為、凸球を上方（又は中或は合）着合部に嵌合し得る。
凸球を着合部に嵌合する毎に下列平釦を押圧し階板裏面中央に１端連結の導線他端を覆面角隅内縁部に連結、導線に電流接続する為、覆面内側の４方の各導線中間に１端連結する波状かぎの半ばが、導線沿い移動、覆面の４方各隅から突出、かぎ先端を開口外際のかぎあなに挿入、引掛ける為、階板は指定着合部に嵌合定着し得る。階板を移動する毎に、下列平釦を押圧複数回、階板裏面の導線に電流接続する為、連結波状かぎ先端が、かぎあなを離脱、かぎ半ばを元の覆面４方隅戻突入、導線沿いに戻移動、階板裏面中央４方の導線各中間に波状かぎ１端を戻移動し得る為、電流接続凸球が、合（又は中或は上方）着合部を離脱、逆回転凸部群に戻移動戻下降、指定着合部に停止する為、凸球を元の下方（又は下間隔中間）着合部に戻嵌合し得る。他階板連結の他凸球は他着合部に嵌合定着済みの為、２階板を同時に昇降し得ない、又、階板は他階板を飛び越え昇降し得ない。
間隔別釦押圧、押圧間隔下の縦列釦複数の６釦は、１０糎間隔毎形成の各着合部に電流接続する為、上（又は中）階板毎、連結凸球を嵌合着合部から離脱、上間隔上階板の次の上中間着合部（又は中間隔中階板の次の下中間着合部）を停止指定し得る為、上、（又は中）階板連結凸球を各該指定着合部に嵌合し得る為、上階板を１０糎低く（又は中階板を１０糎（合計２０糎）高く下階板を１０糎低く各変形し得る。覆体側面沿い、階板縁辺に相互に＋、−磁石接着形成する為、各階板は平行に昇降し得る。４隅の覆体の開口部内側の凸球と階板の中央４方各隅に鉤挿着連結する、階板は４隅覆体の各開口内際の着合部に凸球を嵌合し、階板裏面中央４方の各導線中間に波状かぎの１端連結、かぎ先端を開口外際のかぎ
2007075577.tif 000005
多重に連結し得る為、正確に定着し得る為、免震効果がある。下間隔中間（又は下方）着合部に定着する中階板（又は下階板）上に毎日出入り頻度の多い物品、掛け布団、敷き布団等を分け、負担なく楽に各收納、上階板の下方に中階板（又は中間隔の合着合部に下階板連結凸球）を上昇移動嵌合定着し得る。覆面内側の導線に、收納物の１部を挿入絡み得ない為、安定し得る。又、凸球を元の着合部に戻移動戻下降し得る為、下（又は中又は上）階板毎に元の下方（又は下間隔中間）着合部に各戻下降戻移動し嵌合し得る為、收納各物品を手許に簡単に取出し得る。覆体側面間の各階板の外縁辺は、Ｌ状に上突出形成の為、階板上收納物品又は布団の１部を支え、移動を遮り防止又は転落防止し得る、等の為、居住部屋を広く変え、下階板下の空間に、ベットを移動し片付け得る。
天板周囲に、薄織物最上部接着の、屈折可能の連山状要線を、チャック状に取付ける為、正面１方の縁部を掴み引張り、カーテンの様に開閉し得る。要を４隅の覆体外側面上部に各着脱可能に取付け、薄織物を放射状に要、骨に貫通接着し扇張り薄織物からなる被覆形成する為、通風よく階板上收納布団類を衛生的に保管し得る、又、多種色彩の被覆扇形成、部屋を装飾し得る。従来と特徴異る被覆扇付き布団入れを構成し得る等の効果を有する。
【図面の簡単な説明】
【図１】天板の説明平面図
【図２】階板の説明平面図
【図３】階板裏面の説明図
【図４】左側面説明図
【符号の説明】
Ａ  天板
Ｂ  コ状覆体
Ｃ  階板
Ｄ  凸球
Ｅ  着合部
Ｆ  挿着鉤
Ｇ  波状かぎ
Ｈ  覆面
Ｊ  かぎあな
【図１】
2007075577.tif 000006
【図２】
2007075577.tif 000007
【図３】
2007075577.tif 000008
【図４】
2007075577.tif 000009